(57)【要約】      （修正有）【課題】容器に収納されたトマトのような野菜が内部で動くことを防止して傷が付かないようにし、以って、野菜の商品価値を保持させるようにした容器の提供。【解決手段】容器本体２と、容器本体２の開口部を閉鎖する蓋体３とを備え、容器本体２内にトマト等の玉状の野菜２１が動かないよう仕切るための突出部７，８を設ける。【選択図】図５
0003106808.tif 000002
【実用新案登録請求の範囲】
【請求項１】
容器本体と、該容器本体の開口部を閉鎖する蓋体とを備え、前記容器本体内には、収納された内容物が動かないよう仕切るための仕切り部を設けたことを特徴とする容器。
【請求項２】
仕切り部は、容器本体内に突出する突出部である請求項１記載の容器。
【請求項３】
蓋体側若しくは容器本体側に設けられた嵌合片と、容器本体側若しくは蓋体側に設けられた嵌合片嵌入孔とを備え、前記蓋体を閉止した際に嵌合片は嵌合片嵌入孔に嵌入して蓋体は開かないように構成されている請求項１又は２記載の容器。
【請求項４】
蓋体により容器本体の開口部を閉鎖した際には、蓋体と容器本体の間に隙間が形成されるよう、位置決め部材を設けた請求項１乃至３の何れかに記載の容器。
【請求項５】
蓋体の上面には、上部に積重ねた容器における容器本体の底部に形成した溝に嵌入する突出部が形成されており、容器を積重ねた際に互いにずれないよう構成されている請求項１乃至４の何れかに記載の容器。
【考案の詳細な説明】
【技術分野】
【０００１】
本考案は容器に関するものである。
【背景技術】
【０００２】
トマトのような野菜はスーパや八百屋で販売される際には、複数個まとめて蓋付きのプラスチック容器に収納され、販売される場合がある。
【考案の開示】
【考案が解決しようとする課題】
【０００３】
従来のプラスチック容器の場合、容器本体に収納されたトマトは搬送中に動いて容器本体内壁にぶつかったり、或は隣り合うトマト同士がぶつかって、トマトに傷が付く虞があり、傷が付いた場合トマトは商品価値が低下して売り物にならない虞がある。
【０００４】
本考案は、上記実情に鑑み、容器に収納されたトマトのような野菜が内部で動くことを防止して傷が付かないようにし、以って、野菜の商品価値を保持するようにすることを目的としてなしたものである。
【課題を解決するための手段】
【０００５】
請求項１の容器は、容器本体と、該容器本体の開口部を閉鎖する蓋体とを備え、前記容器本体内には、収納された物品が動かないよう仕切るための仕切り部を設けたものである。
【０００６】
請求項２の容器においては、仕切り部は、容器本体内に突出する突出部であり、請求項３の容器においては、蓋体側若しくは容器本体側に設けられた嵌合片と、容器本体側若しくは蓋体側に設けられた嵌合片嵌入孔とを備え、前記蓋体を閉止した際に嵌合片は嵌合片嵌入孔に嵌入して蓋体は開かないように構成されているものであり、請求項４の容器は、蓋体により容器本体の開口部を閉鎖した際には、蓋体と容器本体の間に隙間が形成されるよう、位置決め部材を設けたものであり、請求項５の容器においては、蓋体の上面には、上部に積重ねた容器における容器本体の底部に形成した溝に嵌入する突出部が形成されており、容器を積重ねた際に互いにずれないよう構成されている。
【考案の効果】
【０００７】
本考案の請求項１〜５記載の容器によれば、下記のごとき種々の優れた効果を奏し得る。
Ｉ）搬送に際して、内容物は動いたりすることなく確実に容器内に収納されて、損傷を生じる虞がなく、又、容器本体内が蒸れることがない。
ＩＩ）従って、内容物の品質を良好に保持することができる。
ＩＩＩ）更に請求項５の容器によれば、積重ねた容器がずれることがないため、搬送や保管時の安定性が良好である。
【考案を実施するための最良の形態】
【０００８】
以下、本考案の実施の形態を図示例と共に説明する。
図１〜図６は本考案を実施するための形態の一例である。
図中、１はプラスチック製の容器であって、トマトのような玉状の内容物を収納するための容器本体２、及び容器本体２の開口部を閉鎖するための蓋体３を備えている。容器本体２は、底部４と、底部４の外周部に一体的に且つ無端状に立設された周壁５と、周壁５の上端縁部を包囲して外方側へ突出するフランジ部６とを備え、全体的には略矩形皿状に形成されている。
【０００９】
容器本体２の底部４上面には、容器本体２の短軸方向中間部において容器本体２の長軸方向一端側の周壁５内面から他端側の周壁５内面へ向けて、両周壁５同士を繋ぐよう延在する突出部７と、突出部７の長手方向中途部から容器本体２短軸方向へ延在して、容器本体２の周壁５内面に繋がる複数の突出部８が形成されている。突出部７，８の高さは、容器本体２の高さの約１／２〜１／３程度である。而して、容器本体２内は底部４において突出部７，８により複数の内容物収納区画に仕切られている。
【００１０】
フランジ部６の容器本体２長軸方向両端部で、且つ蓋体３が開いた状態で蓋体３側から離反した位置には、平面形状が小円形状の突起９が形成されており、突起９には容器本体２の長手方向へ延びる長孔１０が形成されている。
【００１１】
蓋体３は、天板部１１と、天板部１１の外周部に一体的に且つ無端状に設けられ、しかも閉止した状態で下方へ延在する周壁１２と、周壁１２の下端縁部を包囲して外方側へ突出するフランジ部１３とを備え、全体的には略皿形状に形成されている。
【００１２】
フランジ部１３の蓋体３長軸方向両端部で、且つ蓋体３が開いた状態で容器本体２側から離反した位置には、平面形状が小円形状の突起１４が形成されており、突起１４の上面には平面視で略正四角形状の嵌合片１５が突出、形成されている。而して、蓋体３を閉止した際には、蓋体３は容器本体２の開口部を閉鎖し、嵌合片１５は容器本体２側の突起９に形成した長孔１０に嵌入することにより、蓋体３は開かないよう構成されている。
【００１３】
容器本体２と蓋体３とは、蓋体３を開いた状態で対向する箇所を、フランジ部６，１３を介し、容器本体２及び蓋体３の長手方向へ延在する曲折可能な接続部材１６により接続されている。而して、接続部材１６のフランジ部６、１３に対する接続部は、接続部材１６が容易に曲折し得るよう、略Ｕ形状に形成されている。
【００１４】
容器本体２のフランジ部６における容器本体２長手方向中間位置で、且つ蓋体３が開いた状態で蓋体３から離反した位置には、上方へ突出するよう位置決め部材１７が形成されている。又、蓋体３のフランジ部１３における蓋体３長手方向中間位置で、且つ蓋体３が開いた状態で容器本体２から離反した位置には、蓋体３を閉止した際に、位置決め部材１７と対向するよう下方へ突出する位置決め部材１８が形成されている。
蓋体３を閉止した場合に上部となる蓋体３上面には、上方へ突出する突出部１９，２０が形成されており、突出部１９，２０は蓋体３を閉止した容器１の上部に別の容器１を載置した場合に、当該載置した容器本体２における底部４の突出部７，８下部に形成された溝７ａ，８ａに嵌入して上下の容器１は左右へずれないようになっている（図６参照）。突出部１９，２０は平面視で直交する方向へ延びている。図中、２１はトマト等の玉状の野菜である。
【００１５】
次に、上記図示例の作動を説明する。
例えば、トマト等の玉状の野菜２１は容器本体２内に、周壁５と仕切りとなる突出部７，８との間に位置するよう収納されて蓋体３が閉止され、容器本体２の開口部は閉鎖される。この場合、蓋体３の嵌合片１５は容器本体２の長孔１０に嵌合するため、蓋体３は閉じられた状態を保持される。従って、搬送に際して、トマト等の玉状の野菜２１は動いたりすることなく確実に容器１内に収納されて、損傷を生じる虞がなく、良好な品質を保持することが可能となる。
【００１６】
又、蓋体３が閉止された際には、位置決め部材１７，１８により、蓋体３と容器本体２との間には隙間Ｇが形成されるが、この隙間Ｇにより容器本体２内と外部とを空気が流通し、容器本体２が蒸れたりすることを防止することができ、この点からも良好な品質を保持することができる。
更に、容器１を積重ねた場合、下の容器１の蓋体３上面に形成した突出部１９，２０は上の容器１の容器本体２における底部４に形成した溝７ａ，８ａに嵌入するため、上下の容器１は互いにずれる虞がなく、搬送時や保管時の安定性が良好である。
【００１７】
なお、本考案の容器においては、玉状の野菜がトマトの場合について説明したが、トマトに限るものではないこと、野菜以外の物品を収納するこもできること、その他、本考案の要旨を逸脱しない範囲内において種々変更を加え得ることは勿論である。
【図面の簡単な説明】
【００１８】
【図１】本考案の容器の実施の形態の一例で、蓋体を開けた状態で示す平面図である。
【図２】図１のＩＩ−ＩＩ方向矢視図である。
【図３】図２のＩＩＩ−ＩＩＩ方向矢視図である。
【図４】図２のＩＶ−ＩＶ方向矢視図である。
【図５】図１に示す容器内にトマト等の玉状の野菜を収納して蓋を閉鎖した状態を示す正面図である。
【図６】図５に示す容器を積重ねた状態を示す正面図である。
【符号の説明】
【００１９】
１  容器
２  容器本体
３  蓋体
７  突出部（仕切り部）
７ａ  溝
８  突出部（仕切り部）
８ａ  溝
１０  長孔（嵌合片嵌入孔）
１５  嵌合片
１９  突出部
２０  突出部
２１  野菜（内容物）
【図１】
0003106808.tif 000003
【図２】
0003106808.tif 000004
【図３】
0003106808.tif 000005
【図４】
0003106808.tif 000006
【図５】
0003106808.tif 000007
【図６】
0003106808.tif 000008